【事件の表示】
　特願２００１−　８３４２７「遊技機」拒絶査定不服審判事件〔平成１４年１０月　２日出願公開、特開２００２−２８２４９２〕について、次のとおり審決する。
【結　論】
　本件審判の請求は、成り立たない。
【理　由】
　
第１，手続きの経緯
　本願は、平成１３年３月２２日の出願であって、平成１５年９月１２日付けで拒絶理由が通知され、これに対し、平成１５年１１月１４日付けで手続補正がなされ、平成１６年７月３０日付けで拒絶査定がなされ、これに対し、平成１６年８月３０日に拒絶査定不服の審判請求がなされたものである。
　
第２，本願発明
　本願の請求項１乃至６に係る発明は、上記平成１５年１１月１４日付けで補正された明細書の記載からみて、その特許請求の範囲の請求項１乃至６に記載された事項により特定されるものと認められるところ、その請求項１に記載された発明は次のとおりのものである。
　【請求項１】　遊技者が遊技を行う際に正対する遊技領域を有する遊技機であって、
　前記遊技領域の前面を覆うガラスと、
　このガラスの枠である、ガラス枠上パネル部，ガラス枠下パネル部，ガラス枠左パネル部およびガラス枠右パネル部と、
　このガラス枠の前記ガラスとの臨界部分に設けられ前記ガラスを囲繞する通気孔とを有し、
　前記臨界部分は、遊技機前面に対して斜めに張り出し形成された傾斜面である遊技機。（以下、「本願発明」という。）
　
第３，刊行物に記載された発明
　刊行物１：特開平１０−３０５１６４号公報
　刊行物２：特開平１１−９７９２号公報
　　　
　原査定の拒絶理由通知に引用された、特開平１０−３０５１６４号公報（以下、「引用刊行物１」という。）には、次の事項が記載されている。
　
　（１−ａ）「【０００８】このパチンコ機２は、既知のごとく、枠状の機体２１内にゲージ盤を組み込み、該ゲージ盤の前面側を、開閉可能としたウィンドガラス２２で覆うと共に、前記機体２１の前面側下部には、上受け皿２３と下受け皿２４と操作ハンドル２５とを設けて成るものであり、また設置台１の上面には、各パチンコ機２に対応して灰皿１１を設けている。
【０００９】以上のパチンコ機２において、該パチンコ機２の前面側にたちこめる紫煙が隣接するパチンコ機２側に拡散するのを規制するための紫煙拡散規制手段３を設けるのである。即ち、図１〜図２に示す実施形態では、紫煙拡散規制手段３として、吸引管３ａと、この吸引管３ａ内に組み込んだ送風機３ｂとから構成しているのであって、具体的には、吸引管３ａを、相対向するパチンコ機２の機体２１の上端部に沿って配設する一対の吸引筒部３１と、相対向するパチンコ機２・２間の上部に配設されるファン収容筒部３２と、このファン収容筒部３２と各吸引筒部３１の長さ方向中間部位とを連絡する連絡管部３３とから形成して、前記吸引筒部３１に複数の吸引口３４を形成している。
【００１０】また以上の吸引管３ａのファン収容筒部３２内には、モータ３５及びこのモータ３５の駆動軸に組付けたファン３６から構成される送風機３ｂを組み込む一方、該ファン収容筒部３２を、パチンコ店内の天井裏に配設した排気ダクト４に連結ダクト４１を介して連通させ、送風機３ｂの回転駆動により、パチンコ機２のウインドガラス２２の前面側に漂う紫煙を、前記吸引口３４から吸引管３ａ内に吸引すると共に、前記連結ダクト４１を介して排気ダクト４に排出するようにしている。
【００１１】斯くして図１から図２に示す実施形態の紫煙拡散防止装置３によれば、各パチンコ機２で遊技中の喫煙者が吐き出して、パチンコ機２のウインドガラス２２の前面にたちこめる紫煙は、送風機３ｂの駆動に伴い、直ちに前記吸引口３４を介して吸引管３ａ内に強制的に吸引されて、前記連結ダクト４１から排気ダクト４内に確実に排出され、隣接するパチンコ機２の前面側に流れ込むことがなく、従ってかかるパチンコ機２で遊技中の遊技者に迷惑をかけることが少なくなるのである。
【００１２】以上の実施形態では、吸引管３ａの吸引筒部３１をパチンコ機２の機体２１の上端部に沿って配設するようにしたが、これに限定されるものではなく、例えば図３に概略的に示すように、前記吸引筒部３１を正面視略逆Ｕ字状に形成して、この吸引筒部３１をパチンコ機２の機体２１の上端部から更に左右側縁部に沿って配設するようにしてもよく、斯く構成することで、パチンコ機２のウインドガラス２２の前面側にたちこめる紫煙を、該ウインドガラス２２の上方のみならず左右両側方からも吸引除去することが出来、隣のパチンコ機２で遊技中の遊技者に迷惑をかけることがより一層少なくなる。」。
　
　したがって、上記の記載事項を「吸引筒部３１を正面視略逆Ｕ字状に形成」した場合についてまとめると、引用刊行物１には、
　「枠状の機体２１内にゲージ盤を組み込み、該ゲージ盤の前面側を、開閉可能としたウィンドガラス２２で覆い、
　複数の吸引口３４が形成された吸引筒部３１を正面視略逆Ｕ字状に形成して、この吸引筒部３１をパチンコ機２の機体２１の上端部から更に左右側縁部に沿って配設した、パチンコ機２であって、
　遊技中の喫煙者が吐き出して、ウインドガラス２２の前面にたちこめる紫煙は、送風機３ｂの駆動に伴い、直ちに前記吸引口３４を介して、該ウインドガラス２２の上方のみならず左右両側方からも吸引除去され、隣接するパチンコ機２の前面側に流れ込むことがない、パチンコ機２。」の発明（以下「引用発明１」という。）が、記載されていると認められる。　
　
　原査定の拒絶理由通知に引用された、特開平１１−９７９２号公報（以下、「引用刊行物２」という。）には、次の事項が記載されている。
　
　（２−ａ）「【００１２】特に、本発実施形態の遊技機１は、遊技機本体内に配設される遊技部材としての遊技盤３や特別図柄表示装置７３と、この遊技盤３の前面に装備されると共に開閉自在に構成される前面枠体５と、この前面枠体５の枠内に装着される板状の透明部材７（図２参照）とを備えている。そして、前面枠体５は手前側に膨出する所定の曲面部９と所定の平面部１１とにより形成されると共に、平面部１１の面の方向が遊技盤３の面の方向に対応して構成されている点に特徴を有している。以下詳細に説明する。
【００１３】［前面枠体］前面枠体５は、略矩形形状で且つ額縁状に形成され、遊技機１の内枠１３の上部の大部分を覆っている。この前面枠体５は合成樹脂（例えばＡＢＳ樹脂等）で形成されている。また、額縁状に形成された前面枠体５の窓部にはガラスからなる透明部材７が填め込まれている。このため、遊技者は窓部の透明部材７を通して遊技者は遊技機１の内部の遊技盤３を視認することができる。また、前面枠体５の手前側表面には窓部の枠縁に沿って所定の曲面部９が形成されている。より詳しくは、この曲面部９は遊技機１の手前側に断面山状に膨出している。そして、前面枠体５の内側に向かって傾斜する内面壁９ａと、逆に外側に向かって傾斜する外面壁９ｂとから構成されている。
【００１４】前面枠体について図２に基づいて詳細に説明する。図２は図１のＸ−Ｘ線における遊技機１を下から見た断面図を示している。図に示すように、前面枠体５には透明部材７を保持する保持枠８が接合されており、この保持枠８に２枚の透明部材（ガラス板）７が填め込まれている。そして前面枠体５は所定の蝶番３０ａ，３０ｂ及び回動軸３１ａ，３１ｂを介して内枠１３に固定されている。・・・
【００１５】また、前面枠体５の曲面部９は、図３に示すように、その上端部が最も遊技者側に膨出しており、下方に行くに従って徐々にその膨出量が減少するようになっている。即ち、前面枠体５の上部領域の内面壁９ａ及び外面壁９ｂは、庇のような形状となっており、遊技機１の真上から遊技盤３に照射される遊技店の照明光等の浸入を一部抑制する役割も有している。一方、前面枠体５の下部は上記したように遊技者側への膨出量が小さく、外面壁９ｂの傾斜面の幅は下に行くほど徐々に小さくなっている。
【００１６】前面枠体５の上部であって内面壁９ａの一部には、図１に示すように、所定の発光装置２３が設けられている。この発光装置２３は、遊技盤３内を照らしたり遊技機１の種々の状態を遊技者に表示する役割を有しており、例えば、遊技機１が大当たり状態になっているときに点滅したりするものである。発光装置２３は内面壁９ａの傾斜に沿って設けられているので、光は遊技盤３側に照射され遊技盤３内の特別図柄表示装置７３や一般入賞装置７７などの各種役物等を照らすこととなる。このとき、遊技盤３内にはほかにも種々の照明装置が装備されているので、これらが発する光と混合され、より照明効果が向上する。
【００１７】ここで、前面枠体５の内面壁９ａは、遊技盤３の色彩の明度より低い明度の縁取り部２５となっている。より詳しくは、この縁取り部２５には黒等の無彩色が採用されている。これは、遊技盤３と前面枠体５の縁取り部２５との色彩の明度の差を大きく採ることにより、色彩上のコントラストが強調される。これにより、遊技者にとって遊技盤３に配設された各種照明手段の照明光がより強調されて感じられることとなり、遊技者の興趣を高めることができるからである。但し、色彩は黒に限定されるものではなく、濃紺等であってもよい。
【００１８】尚、本実施形態では明度の低い縁取り部２５を、前面枠体５の枠縁に沿って全周について設けている。・・・加えて、内面壁９ａのみならず外面壁９ｂも同様に明度の低い色彩とすることによっても同様の作用効果を奏する。」、
　（２−ｂ）「【００５０】そして、本発明では上記したように、前面枠体５の枠縁に沿って縁取り部２５が形成されている。この縁取り部２５は既に述べたように、遊技盤３の色彩より明度の低い色彩で構成されている。このため、遊技者に対して遊技盤３と縁取り部２５との間で大きなコントラストを感じさせる。この結果、遊技盤３内の照明装置や縁取り部２５に設けられた発光装置２３の光がより強調されることとなる。即ち、従来と同様の照明を備えた遊技機であっても、明度の低い縁取り部２５を形成することによって、より一層遊技者の興趣を高めることとなる。」。
　　
　したがって、上記の記載事項をまとめると、引用刊行物２には、
　「遊技盤３や特別図柄表示装置７３と、この遊技盤３の前面に装備されると共に開閉自在に構成される前面枠体５と、この前面枠体５の枠内に装着される板状の透明部材７とを備えている遊技機１において、
　前面枠体５は、略矩形形状で且つ額縁状に形成され、額縁状に形成された前面枠体５の窓部にはガラスからなる透明部材７が填め込まれ、また、前面枠体５の手前側表面には窓部の枠縁に沿って所定の曲面部９が形成され、この曲面部９は遊技機１の手前側に断面山状に膨出して、前面枠体５の内側に向かって傾斜する内面壁９ａと、逆に外側に向かって傾斜する外面壁９ｂとから構成され、
　前面枠体５の内面壁９ａ全周に、遊技盤３の色彩の明度より低い明度の縁取り部２５を設け、これにより、遊技者にとって遊技盤３に配設された各種照明手段の照明光がより強調されて感じられることとなり、遊技者の興趣を高めることができ、
　前面枠体５の上部であって内面壁９ａの一部には、内面壁９ａの傾斜に沿って発光装置２３が設けられ、この発光装置２３は、遊技機１の種々の状態を遊技者に表示する役割を有している、遊技機１。」の発明（以下「引用発明２」という。）が、記載されていると認められる。　
　　　
第４，本願発明との比較・検討
　本願発明と引用発明１とを比較する。
　（４−１）引用発明１の「遊技中の喫煙者」は、本願発明の「遊技者」に相当し、以下同様に「パチンコ機２」は「遊技機」に、「ウィンドガラス２２」は「ガラス」に、「吸引口３４」は「通気孔」に、それぞれ相当する。
　（４−２）引用発明１の「枠状の機体２１内にゲージ盤を組み込み、該ゲージ盤の前面側を、開閉可能としたウィンドガラス２２で覆い、」の記載事項について検討すると、ゲージ盤の前面を遊技球が落下して遊技が行われることは遊技機における技術常識であるから、引用発明１は、本願発明の「遊技領域の前面を覆うガラス」の技術事項を有しているといえる。
　（４−３）遊技者が遊技を行う際に「遊技機に正対する姿勢をとること」、及び「遊技機が遊技領域を有すること」は遊技機における技術常識であるから、引用発明１の「パチンコ機２」は、本願発明の「遊技者が遊技を行う際に正対する遊技領域を有する遊技機」の技術事項を有しているといえる。
　（４−４）引用発明１の「複数の吸引口３４」について検討すると、吸引口３４が形成された吸引筒部３１は正面視略逆Ｕ字状に形成され、この吸引筒部３１がパチンコ機２の機体２１の上端部から更に左右側縁部に沿って配設されており、ウインドガラス２２の前面にたちこめる紫煙は、前記吸引口３４を介して、該ウインドガラス２２の上方のみならず左右両側方からも吸引除去されるのであるから、引用発明１は、「ウインドガラス２２の近傍部分に設けられ前記ウインドガラス２２の上方及び左右方を囲む吸引口３４を有し、」の技術事項を有しているといえる。
　そこで、当該技術事項と本願発明の「このガラス枠の前記ガラスとの臨界部分に設けられ前記ガラスを囲繞する通気孔を有し、」の技術事項とを比較すると、両者は「ガラスの近傍部分に設けられ前記ガラスの上方及び左右方を囲む通気孔を有し、」の技術事項において一致する。
　
　したがって、本願発明と引用発明１とを比較すると、両者の一致点及び相違点は次のとおりである。
　
　一致点
　遊技者が遊技を行う際に正対する遊技領域を有する遊技機であって、
　前記遊技領域の前面を覆うガラスと、
　前記ガラスの近傍部分に設けられ前記ガラスの上方及び左右方を囲む通気孔とを有している、遊技機。　
　
　相違点Ａ
　本願発明は、ガラスの枠である、ガラス枠上パネル部，ガラス枠下パネル部，ガラス枠左パネル部およびガラス枠右パネル部を有しているのに対し、引用発明１はそのような構成を有するかどうか明らかでない点。　
　相違点Ｂ
　ガラスの近傍部分に設けられる通気孔が、本願発明ではガラス枠のガラスとの臨界部分に、遊技機前面に対して斜めに張り出し形成された傾斜面に設けられ、前記ガラスを囲繞するのに対し、引用発明ではガラスの上方及び左右方を囲む点。　
　　　　
　そこで、上記相違点について検討する。
　相違点Ａについて　
　引用発明２の「前面枠体５」は、「略矩形形状で且つ額縁状に形成され」、「前面枠体５の窓部にはガラスからなる透明部材７が填め込まれ」ていることから、当該分野の技術常識によれば、引用発明２の「前面枠体５」が、「ガラス枠上部，ガラス枠下部，ガラス枠左部およびガラス枠右部を有しているガラスの枠」の構成を備えていることは明らかである。そして、ガラス枠部の具体的な形状や構造をどのようなものとするかは、ガラス枠部の意匠や強度、製作時の容易性などを考慮して、当業者が適宜採用できる設計上の事項であるから、ガラス枠部をパネル部とし、相違点Ａに係る本願発明を特定する事項とすることは、当業者が容易になし得ることである。
　　　
　相違点Ｂについて　
　引用発明２には、「遊技機（遊技機１）前面に対して斜めに張り出し形成された傾斜面（内面壁９ａ）をガラス枠（前面枠体５）のガラス（ガラスからなる透明部材７）との臨界部分（窓部の枠縁）に設けてガラスを囲繞（内面壁９ａ全周）し、該臨界部分（窓部の枠縁）に発光装置２３を設け」た技術事項が記載されている。ところで、傾斜面に設けられる通気孔は、例えば、特開平９−１４０９１３号公報に記載された「吸引口１６」（【０００９】及び【００１１】並びに【全図】参照）、及び特開昭６０−５５９７９号公報に記載された「空気吸込口２」（公報第２頁右上欄第１７行及び第４図参照）、並びに実願平４−５１６６０号（実開平６−５６８７号）のＣＤ−ＲＯＭに記載された「空気吸込み口５」（【０００９】及び【図９】参照）のように当該技術分野において周知・慣用の技術（以下、「周知・慣用の技術甲」という。）である。また、遊技機の上方だけでなく下方にも配置した通気孔は、例えば、特開平９−１２２３３５号公報に記載された「前面枠の四辺全部に取り付けられた枠飾りに設けられた吸入孔２１」（【０００５】及び【０００６】並びに【００１１】参照）、及び特開平８−２６１５３０号公報に記載された「パチンコ台前面の上部及び下部に各々取り付けられた上部煙吸引受け口１及び下部煙吸引受け口２」（【０００４】及び【０００６】並びに【図１】参照）、並びに特開平６−３１９８６８号公報に記載された「パネルＢに設けられた排煙口５Ｂ及び灰皿用開口部２近傍に設けられた排煙口５Ａ」（【００２０】及び【００２３】、【図１】及び【図３】参照）のように当該技術分野において周知・慣用の技術（以下、「周知・慣用の技術乙」という。）である。そうすると、発光装置及び通気孔は「遊技者にとって有益な付属装置」において共通しているから、引用発明２の「臨界部分、即ち傾斜面に設けられた発光装置２３」に替えてガラスを囲繞するように通気孔を傾斜面に設け、相違点Ｂに係る本願発明を特定する事項とすることは、上記の周知・慣用の技術甲及び乙、特に上記特開平９−１２２３３５号公報に記載された「前面枠の四辺全部に取り付けられた枠飾りに設けられた吸入孔２１」の技術事項を併せて考慮すれば、当業者が容易になし得ることである。
　
　また、効果においても、上記の引用発明１及び２と比較して、本願発明が格別の効果を奏するものとは認められない。
　
第５，むすび
　したがって、本願発明は、引用発明１及び２並びに周知・慣用の技術に基づいて、当業者が容易に発明をすることができたものであるから、本願の他の請求項に係る発明について検討するまでもなく、本願は、特許法第２９条第２項の規定により、特許を受けることができない。
　よって、結論のとおり審決する。